(57)【要約】【課題】吊り下げ用の孔が形成された比較的簡易な構成を有する商品包装袋であって、一度開封された状態から開口部を再度閉塞することが可能な商品包装袋、または、吊り下げ用の孔を利用して市販品に取り付けることが可能な商品包装袋を提供する。【解決手段】袋１００は、袋部１０とヘッダ部５０とを備える。袋１００は、折返部１と折返部２と開口部１０ａと溶着線部１６と接着剤層１３とを含む。ヘッダ部５０には、貫通孔５１が形成されている。袋１００は、溶着線部１６と開口部１０ａとの間の位置において、袋部１０に対してヘッダ部５０を折り曲げることによって、ヘッダ部１０および溶着線部１６における溶着線部１６の下端よりも上方の部分を接着剤層１３に接着することが可能であるように構成されている。【選択図】図３
2014240289.tif 000002
【特許請求の範囲】
【請求項１】
シートが折り曲げられたうえで、前記シートの内面同士が互いに溶着されることによって形成される袋部と、
前記袋部の長手方向の中心部に対して前記袋部の底と反対側に配置され、前記シートが折り曲げられたうえで前記シートの内面同士が互いに溶着されることによって形成されるヘッダ部とを備え、
前記ヘッダ部の上端を形成する第１の折返部と、
前記袋部の前記底を形成する第２の折返部と、
前記第１の折返部と前記第２の折返部との間に配置される開口部と、
前記ヘッダ部の下端を形成するように前記ヘッダ部の前記上端と前記開口部との間に位置し、前記シートの内面同士が互いに溶着されることによって形成される溶着線部と、
前記開口部と前記袋部の前記底との間に配置され、前記シートの外面に形成される接着剤層とを含み、
前記ヘッダ部には、前記ヘッダ部を貫通する貫通孔が形成され、
前記溶着線部の前記開口部側の端から前記ヘッダ部の前記上端までの長さが、前記開口部と前記接着剤層との間隔よりも大きく、
前記溶着線部と前記開口部との間の位置において前記袋部に対して前記ヘッダ部を折り曲げることによって、前記ヘッダ部および前記溶着線部の前記開口部側の端よりも上方の部分を前記接着剤層に接着することが可能であるように構成された、商品包装袋。
【請求項２】
前記ヘッダ部は、前記シートの内面の内側に配置される補強部を含む、
請求項１に記載の商品包装袋。
【請求項３】
前記ヘッダ部および前記溶着線部の前記開口部側の端よりも上方且つ前記溶着線部の前記ヘッダ部側の端よりも下方の部分が前記接着剤層に接着されるように、前記開口部の上方において前記溶着線部の前記開口部側の端の位置と前記接着剤層の位置とが設定される、請求項１または請求項２に記載の商品包装袋。
【請求項４】
前記シートの一端と前記シートの内面とによって前記開口部の縁が形成され、
前記商品包装袋には、前記接着剤層を覆うように前記溶着線部の下方に位置し、且つ、前記シートの他端を含むリップが形成され、
前記リップにおいて前記開口部と略一致する位置に、前記リップの一部を切り取るための構成が付けられている、請求項１または請求項２に記載の商品包装袋。
【請求項５】
前記リップにミシン目が形成された、請求項４に記載の商品包装袋。
【発明の詳細な説明】
【技術分野】
【０００１】
本発明は、商品包装袋に関する。
【背景技術】
【０００２】
商品包装袋の一例として、実公昭５７−４６２７９号公報（以下、特許文献１という）に記載された包装袋が知られている。特許文献１に記載の包装袋においては、商品を封入する袋本体の底としての下端が閉口している。一方、袋本体の上端には開口部が形成され、開口部の上方であって袋本体の上方には、開口部を閉塞させるための折曲封口片が配置される。
【０００３】
この開口部は、折曲封口片を袋本体に接着することによって閉塞される。折曲封口片は、折曲封口片の先端と開口部との間に位置する折曲線において折り曲げられたうえで袋本体に接着される。このように、特許文献１に記載の包装袋は、一枚のシートを用いたうえで、袋本体の下端が閉口し、袋本体の上端が開口し、袋本体の上方に位置する折曲封口片によって開口部を閉塞するといった簡易な構成を有している。
【０００４】
また、特許文献１に記載された包装袋においては、折曲封口片の折曲線を境にして、折曲線の上下に孔が形成されている。折曲封口片が折曲線において折り曲げられたうえで袋本体に接着された状態において、吊下用のハンガーにこれらの孔を挿通させることによって、包装袋に収容される商品および包装袋をハンガーに吊り下げることができる。
【０００５】
なお、特許文献１に記載の包装袋は、補強板を含む。補強板は、合成樹脂と充填材等とを原料としてシート状に作られた熱溶断可能な合成紙によって形成されている。補強板は、折曲封口片の折曲線上に補強板の下端が一致するように、折曲封口片の内面上に配置される。
【０００６】
このように、補強板の下端に沿う折曲線をヒンジ部として折曲封口片を折り曲げることによって、容易且つ確実に折曲封口片を折り曲げることができる。このとき、補強板を折り曲げることがないので、補強板の折り曲げに基づいた弾性復元力が折曲封口片に生じることは無い。そのため、袋本体から折曲封口片が剥離することが防止される。すなわち、折曲封口片を袋体に確実に接着させることができる。
【先行技術文献】
【特許文献】
【０００７】
【特許文献１】実公昭５７−４６２７９号公報
【発明の概要】
【発明が解決しようとする課題】
【０００８】
しかしながら、開口部が閉塞された状態を確実に保持すること以外に、吊り下げ用の孔が形成された比較的簡易な構成を有する商品包装袋であって、別の用途に応じた商品包装袋が望まれている。例えば、吊り下げ用の孔が形成された比較的簡易な構成を有する商品包装袋のうち、一度開封された状態から再度封緘することが可能な商品包装袋、または、景品またはサンプルが封入される商品包装袋として、吊り下げ用の孔を利用して飲料用ボトル等の市販品に取り付けることが可能な商品包装袋が望まれている。
【０００９】
そこで、本発明の目的は、吊り下げ用の孔が形成された比較的簡易な構成を有する商品包装袋であって、一度開封された状態から再度封緘することが可能な商品包装袋を提供することである。
【００１０】
あるいは、本発明の目的は、吊り下げ用の孔が形成された比較的簡易な構成を有する商品包装袋であって、景品またはサンプルが封入される商品包装袋として、吊り下げ用の孔を利用することによって市販品に取り付けることが可能な商品包装袋を提供することである。
【課題を解決するための手段】
【００１１】
本発明に従った商品包装袋は、袋部とヘッダ部とを備える。袋部は、シートが折り曲げられたうえで、シートの内面同士が互いに溶着されることによって形成される。ヘッダ部は、袋部の長手方向の中心部に対して袋部の底と反対側に配置される。ヘッダ部は、シートが折り曲げられたうえでシートの内面同士が互いに溶着されることによって形成される。また、本発明に従った商品包装袋は、第１の折返部と、第２の折返部と、開口部と、溶着線部と、接着剤層とを含む。
【００１２】
第１の折返部は、ヘッダ部の上端を形成する。第２の折返部は、袋部の底を形成する。開口部は、第１の折返部と第２の折返部との間に配置される。溶着線部は、ヘッダ部の下端を形成するようにヘッダ部の上端と開口部との間に位置する。溶着線部は、シートの内面同士が互いに溶着されることによって形成される。接着剤層は、開口部と袋部の底との間に配置され、シートの外面に形成される。ヘッダ部には、ヘッダ部を貫通する貫通孔が形成されている。
【００１３】
本発明に従った商品包装袋においては、溶着線部の開口部側の端からヘッダ部の上端までの長さが、開口部と接着剤層との間隔よりも大きい。また、本発明に従った商品包装袋は、溶着線部と開口部との間の位置において袋部に対してヘッダ部を折り曲げることによって、ヘッダ部および溶着線部の開口部側の端よりも上方の部分を接着剤層に接着することが可能であるように構成されている。
【００１４】
本発明に従った商品包装袋においては、第１の折返部としてシートを折り曲げたうえで、シートの内面同士を互いに溶着させることによってヘッダ部が形成され、第２の折返部としてシートを折り曲げたうえで、シートの内面同士を互いに溶着させることによって袋部が形成される。さらに、ヘッダ部の下端を形成する溶着線部が、シートの内面同士が互いに溶着されることによって形成される。このように構成される商品包装袋において、第１の折返部と第２の折返部との間に開口部が配置されるとともに、シートの外面に形成される接着剤層が開口部と袋部の底との間に配置される。本発明に従った商品包装袋は、このように形成される比較的簡易な構成を有する。
【００１５】
また、本発明に従った商品包装袋においては、ヘッダ部を貫通する貫通孔がヘッダ部に形成されている。そのため、貫通孔を用いることによって、商品包装袋に収容される商品および商品包装袋を吊り下げることができる。
【００１６】
さらに、本発明によれば、溶着線部の開口部側の端からヘッダ部の上端までの長さが、開口部と接着剤層との間隔よりも大きいため、溶着線部と開口部との間の位置において袋部に対してヘッダ部を折り曲げることによって、ヘッダ部および溶着線部の開口部側の端よりも上方の部分を接着剤層に接着することができる。そのため、ヘッダ部および溶着線部の開口部側の端よりも上方の部分によって、開口部を閉じることができる。これにより、一度開封された商品包装袋において、ヘッダ部を用いて再度封緘することができる。
【００１７】
このようにすることにより、吊り下げ用の孔が形成された比較的簡易な構成を有する商品包装袋であって、一度開封された状態から再度封緘することが可能な商品包装袋を提供することができる。
【００１８】
一方、ヘッダ部のうちの貫通孔よりも下方の部分を接着剤層に接着する場合には、折り曲げられたヘッダ部によって開口部を覆って封緘するとともに、当該部分よりも上方の部分に位置する吊下げ用の貫通孔を用いることによって、景品またはサンプルが封入される商品包装袋として市販品に商品包装袋を取り付けることができる。
【００１９】
このようにすることにより、吊り下げ用の孔が形成された比較的簡易な構成を有する商品包装袋であって、景品またはサンプルが封入される商品包装袋として、吊り下げ用の孔を利用することによって市販品に取り付けることが可能な商品包装袋を提供することができる。
【００２０】
本発明に従った商品包装袋において、ヘッダ部は、好ましくは、シートの内面の内側に配置される補強部を含む。
【００２１】
本発明に従った商品包装袋においては、ヘッダ部と開口部との間に溶着線部が形成されているため、溶着線部の開口部側の端に略一致する位置においてヘッダ部を折り曲げることができる。したがって、この構成によれば、補強部を含むヘッダ部に、補強部の折り曲げに基づいた弾性復元力が生じることが無い。そのため、接着剤層に接着された部分として、ヘッダ部および溶着線部の開口部側の端よりも上方の部分が袋部から剥離することが防止される。すなわち、ヘッダ部および溶着線部の開口部側の端よりも上方の部分を袋部に確実に接着させることができる。
【００２２】
また、この構成によれば、ヘッダ部が所定の剛性を有するため、景品またはサンプルが封入される商品包装袋として市販品に商品包装袋を堅固に取り付けることができる。
【００２３】
本発明に従った商品包装袋において、好ましくは、ヘッダ部および溶着線部の開口部側の端よりも上方且つ溶着線部のヘッダ部側の端よりも下方の部分が接着剤層に接着されるように、開口部の上方において溶着線部の開口部側の端の位置と接着剤層の位置とが設定される。
【００２４】
この構成によれば、ヘッダ部のうちの溶着線部と貫通孔との間の部分を接着剤層に接着することができる。そのため、折り曲げられたヘッダ部によって開口部を閉塞するとともに、当該部分よりも上方に位置する吊下げ用の貫通孔を用いることによって、景品またはサンプルが封入される商品包装袋として市販品に商品包装袋を取り付けることができる。
【００２５】
さらに、この構成によれば、ヘッダ部における貫通孔の全体を市販品への取り付け用に利用することができる。すなわち、景品またはサンプルが封入される商品包装袋として市販品に商品包装袋を容易に取り付けることができる。さらに、ヘッダ部が所定の剛性を有する場合には、景品またはサンプルが封入される商品包装袋として市販品に商品包装袋を容易且つ堅固に取り付けることができる。
【００２６】
本発明に従った商品包装袋において、好ましくは、シートの一端とシートの内面とによって開口部の縁が形成される。商品包装袋には、好ましくは、リップが形成されている。リップは、接着剤層を覆うように溶着線部の下方に位置する。また、リップは、シートの他端を含む。好ましくは、リップにおいて開口部と略一致する位置に、リップの一部を切り取るための構成が付けられている。
【００２７】
この構成によれば、リップの一部を切り取るための構成が付けられているため、例えば収容された商品を商品包装袋から取り出した後にリップの一部を切り取ることができる。また、リップの一部を切り取るための構成は、リップにおいて開口部と略一致する位置に付けられている。これにより、リップの残りの部分が折り曲げられることが無いように、袋部に対してヘッダ部を容易に折り曲げることができる。このように、この構成によれば、リップの残りの部分と開口部とが干渉することなく、ヘッダ部および溶着線部の開口部側の端よりも上方の部分を接着剤層に接着することができる。これにより、一度開封された商品包装袋において、ヘッダ部を用いて再度封緘することができる。
【００２８】
本発明に従った商品包装袋において、リップには、好ましくは、ミシン目が形成されている。
【００２９】
この構成によれば、ミシン目においてリップの一部を容易に切り取ることができる。
【発明の効果】
【００３０】
以上のように、本発明によれば、吊り下げ用の孔が形成された比較的簡易な構成を有する商品包装袋であって、一度開封された状態から再度封緘することが可能な商品包装袋を提供することができる。
【００３１】
あるいは、本発明によれば、吊り下げ用の孔が形成された比較的簡易な構成を有する商品包装袋であって、景品またはサンプルが封入される商品包装袋として、吊り下げ用の孔を利用することによって市販品に取り付けることが可能な商品包装袋を提供することができる。
【図面の簡単な説明】
【００３２】
【図１】本発明の第１実施形態の商品包装袋が使用されていない状態を概略的に示す図であって、（Ａ）は商品包装袋の正面図であって、（Ｂ）は（Ａ）のＢ−Ｂ線の断面図である。
【図２】本発明の第１実施形態の商品包装袋が商品を収容した状態を概略的に示す図であって、（Ａ）は商品包装袋の正面図であって、（Ｂ）は（Ａ）のＢ−Ｂ線の断面図である。
【図３】本発明の第１実施形態の商品包装袋が再度封緘された状態を概略的に示す図であって、（Ａ）は商品包装袋の正面図であって、（Ｂ）は（Ａ）のＢ−Ｂ線の断面図である。
【図４】本発明の第１実施形態の商品包装袋が商品としての釣り針を収容した状態を概略的に示す商品包装袋の斜視図であって、（Ａ）は開封された商品包装袋から釣り針が取り出される様子を示す図であって、（Ｂ）は商品包装袋が再度封緘された状態を示す図である。
【図５】本発明の第１実施形態の商品包装袋とは異なる他の商品包装袋が商品としての釣り針を収容した状態を概略的に示す他の商品包装袋の斜視図であって、開封された他の商品包装袋から釣り針が取り出される様子を示す図である。
【図６】本発明の第２実施形態の商品包装袋が使用されていない状態を概略的に示す図であって、（Ａ）は商品包装袋の正面図であって、（Ｂ）は（Ａ）のＢ−Ｂ線の断面図である。
【図７】本発明の第２実施形態の商品包装袋が商品を収容した状態を概略的に示す図であって、（Ａ）は商品包装袋の正面図であって、（Ｂ）は（Ａ）のＢ−Ｂ線の断面図である。
【図８】本発明の第２実施形態の商品包装袋を概略的に示す断面図であって、当該商品包装袋に景品またはサンプルが収容されたうえで、当該商品包装袋が市販品に取り付けられた状態を示す図である。
【発明を実施するための形態】
【００３３】
以下、本発明の実施の形態を図面に基づいて説明する。
【００３４】
（第１実施形態）
図１に、本発明の商品包装袋の一例としての商品包装袋１００を示す。商品包装袋（以下、袋という）１００は、袋部１０とヘッダ部５０とを備える。袋部１０の内部には、商品が封入される。図１は、袋１００が使用されていない状態として、袋部１０に商品が収容されておらず且つ封がなされていない状態を概略的に示す図であって、（Ａ）は袋１００の正面図であって、（Ｂ）は（Ａ）のＢ−Ｂ線の断面図である。
【００３５】
ヘッダ部５０は、袋１００の長手方向の一端部（言い換えると袋１００の上部）に配置されている。袋部１０は、袋１００の長手方向の中心部から他端部の範囲を占めている。袋部１０は、裏フィルム１２同士が溶着されることによって形成される。表フィルム１１と裏フィルム１２とは、一枚の合成樹脂フィルムによって構成されている。一枚の合成樹脂フィルムが折返部１において略半分に折り返されることによって、表フィルム１１と裏フィルム１２とに分かれる。ヘッダ部５０は、折返部１の下方において表フィルム１１と裏フィルム１２とが溶着されることによって形成される。折返部１よりもさらに下方に所定の寸法離れた位置には、溶着線部１６が配置される。溶着線部１６の下方には、表フィルム１１の一部としてのリップ１４が配置される。
【００３６】
袋部１０およびヘッダ部５０の両側縁においては、溶着部１７が形成されている。溶着部１７によって、長手方向に沿って折返部１から折返部２まで袋部１０およびヘッダ部５０の両側縁が溶着されている。これにより、袋部１０およびヘッダ部５０の両側縁が封止されている。なお、図示される溶着部１７について、溶着部１７の幅を実際の製品のものに比べて誇張している。
【００３７】
袋部１０は、シートとしての一枚の合成樹脂フィルムが折り曲げられたうえで、シートの内面同士が互いに溶着されることによって形成される。詳細には、一端と他端とを含むシートにおいて一端が他端に近づくようにシートが折り返され、且つ、シートの内面同士が互いに溶着されることによって袋部１０が形成される。後述するように、シートの一端は、開口部１０ａの縁の一部を形成する。一方、シートの他端は、リップ１４の先端３を形成する。
【００３８】
ヘッダ部５０は、袋部１０の長手方向の中心部に対して袋部１０の底１０ｂと反対側に配置される。また、ヘッダ部５０は、シートが折り曲げられたうえでシートの内面同士が互いに溶着されることによって形成される。詳細には、シートにおいて他端（他端は、リップ１４の先端３を形成する）が一端（一端は、開口部１０ａの縁の一部を形成する）に近づくようにシートが折り返され、且つ、シートの内面同士が互いに溶着されることによってヘッダ部５０が形成される。
【００３９】
ヘッダ部５０には、シートの内面の内側に配置される補強部として、芯材シート５２が収容されている。芯材シート５２は、合成紙または合成樹脂シートによって形成される。
【００４０】
ヘッダ部５０には、ヘッダ部５０を貫通する貫通孔５１が形成されている。貫通孔５１は、ヘッダ部５０の略中心に配置される。貫通孔５１は、芯材シート５２とシートとを貫通している。貫通孔５１は、略円形を有する。袋１００に収容される商品および袋１００を吊り下げる場合には、貫通孔５１が用いられる。貫通孔５１の大きさは、吊下げ用のフック等の直径、または、袋１００を持つ使用者の指もしくは手の大きさ等が考慮される。なお、貫通孔５１の形状と個数とは、特に限定されない。
【００４１】
第１の折返部としての折返部１は、ヘッダ部５０の上端を形成する。第２の折返部としての折返部２は、袋部１０の底１０ｂを形成する。折返部１と折返部２との間、つまり、袋１００の上端と下端との間には、開口部１０ａが配置される。開口部１０ａは、商品を封入するため開口である。開口部１０ａの縁は、シートの内面としての裏フィルム１２の内面と、シートの一端とによって形成される。
【００４２】
折返部１の下方において表フィルム１１の内面と裏フィルム１２の内面とが互いに溶着されることによって、溶着線部１６が形成される。溶着線部１６として表フィルム１１と裏フィルム１２とが溶着されることによって、ヘッダ部５０の下端が形成される。このような構成により、溶着線部１６は、ヘッダ部５０の上端と開口部１０ａとの間に位置する。溶着線部１６の開口部１０ａ側の端は、溶着線部１６の下端である。溶着線部１６のヘッダ部５０側の端は、溶着線部１６の上端であって、ヘッダ部５０の下端である。図１（Ａ），（Ｂ）に示すように、袋１００においては、溶着線部１６の開口部１０ａ側の端からヘッダ部５０の上端までの長さＬ1は、開口部１０ａと接着剤層１３との間隔Ｌ2よりも大きい。なお、溶着線部１６の上下方向の寸法を含むヘッダ部５０の上端と開口部１０ａとの間の寸法およびヘッダ部５０の下端と開口部１０ａとの間の寸法は、袋１００に収容される商品９０の形状等によってヘッダ部５０の寸法とともに適宜調整される。
【００４３】
シートの外面として、袋１００の正面側（図１（Ｂ）の右側）に位置する裏フィルム１２の外面には、接着剤層１３が形成される。接着剤層１３は、開口部１０ａと袋部１０の底１０ｂとの間に配置されている。袋１００が使用されていない状態として、開口部１０ａが閉じられていない状態において、接着剤層１３には剥離テープ９が被覆されている。なお、袋部１０に商品を封入する場合には、剥離テープ９を剥がしたうえでリップ１４を接着剤層１３に接着する。
【００４４】
リップ１４は、表フィルム１１の一部であって、溶着線部１６の下方の部分を含む。リップ１４は、接着剤層１３を覆うように溶着線部１６の下方に位置する。リップ１４は、リップ１４の先端としてのシートの他端を含む。
【００４５】
リップ１４には、ミシン目４が形成されている。ミシン目４は、リップ１４の一部を切り取るための構成であって、リップ１４において開口部１０ａと略一致する位置に配置されている。詳細には、ミシン目４の位置は、シートの厚みを考慮して、開口部１０ａよりも若干上方の位置に配置されることが好ましい。また、ミシン目４は、溶着線部１６の下端に沿って形成されていてもよい。
【００４６】
次に、商品が封入された袋１００の状態について、図２を用いて説明する。図２は、袋１００が商品９０を収容した状態を概略的に示す図であって、（Ａ）は袋１００の正面図であって、（Ｂ）は（Ａ）のＢ−Ｂ線の断面図である。図２（Ａ），（Ｂ）に示す袋１００の状態において、商品９０が店頭に陳列される。なお、袋１００は、例えば、内部に商品９０が収容されないまま、つまり、図１（Ａ），（Ｂ）に示す状態のまま梱包されて運搬される。
【００４７】
開口部１０ａを通して袋部１０に商品９０が挿入されることによって、袋部１０に商品９０が収容される。商品９０が収容されたうえで、開口部１０ａがリップ１４に覆われるとともに、リップ１４が接着剤層１３に接着されることによって、袋部１０が封止される。なお、上記のように、商品９０を袋部１０に収容する場合には、接着剤層１３から剥離テープ９（図１（Ｂ）参照）が剥がされる。
【００４８】
続いて、商品９０を収容した袋１００が開封された後に、袋１００を再度封緘する構成について、図３を用いて説明する。袋１００は、一度開封された後に、再度封緘することが可能であるように構成されている。図３は、袋１００が再度封緘された状態を概略的に示す図であって、（Ａ）は袋１００の正面図であって、（Ｂ）は（Ａ）のＢ−Ｂ線の断面図である。
【００４９】
商品９０を袋部１０から取り出すために開封した袋１００を再度封緘する場合には、ミシン目４において、リップ１４の一部を切り取る。これにより、リップ１４の先端３（図２参照）を含む部分を接着剤層１３に接着させることはできなくなる。そこで、溶着線部１６と開口部１０ａとの間の位置において、袋部１０に対してヘッダ部５０を折り曲げることによって、ヘッダ部５０および溶着線部１６のうち、溶着線部１６の開口部１０ａ側の端（つまり、溶着線部１６の下端）よりも上方の部分を接着剤層１３に接着する。
【００５０】
このとき、溶着線部１６と開口部１０ａとの間のうち、溶着線部１６の下端、または、溶着線部１６の下端近傍においてヘッダ部５０が折り曲げられる。そのため、溶着線部１６の下端に沿って容易且つ確実にヘッダ部５０を折り曲げることができる。このように、ミシン目４に沿って切り取られたリップ１４の切れ目、あるいは、溶着線部１６の下端において、ヘッダ部５０を袋１００の正面側（表側）に折り曲げることによって、表フィルム１１の外面を接着剤層１３に接着させることができる。
【００５１】
図３（Ｂ）に示すように、袋１００においては、ヘッダ部５０および溶着線部１６における溶着線部１６の下端よりも上方の部分として、ヘッダ部５０のうちの貫通孔５１と溶着線部１６との間の部分が接着剤層１３に接着される。このように、袋１００は、溶着線部１６と開口部１０ａとの間の位置において袋部１０に対してヘッダ部５０を折り曲げることによって、ヘッダ部５０および溶着線部１６における溶着線部１６の下端よりも上方の部分を接着剤層１３に接着することが可能であるように構成されている。このようにして、袋１００においては、一旦開けられた開口部１０ａを閉塞することができる。
【００５２】
袋１００は、例えば、釣り針９３を収容する商品包装袋に適している。図４は、袋１００が商品９０としての釣り針９３を収容した状態を概略的に示す袋１００の斜視図であって、（Ａ）は開封された袋１００から釣り針９３が取り出される様子を示す図であって、（Ｂ）は袋１００が再度封緘された状態を示す図である。
【００５３】
袋１００に収容される複数の釣り針９３のチモトには、糸が取り付けられている。糸が台紙９１に取り付けられることによって、複数の釣り針９３が台紙９１に取り付けられている。台紙９１の上部には切り込み線９２ａが設けられており、切り込み線９２ａよりも上方に折り込み線９２ｂが設けられる。釣り針９３のうちのモドリを含む先端部が、切り込み線９２ａおよび折り込み線９２ｂに沿って折られる部分に配置されるように、釣り針９３は台紙９１に留められている。
【００５４】
図３に示すように、袋１００においては、リップ１４の一部を切り取るための構成の一例としてのミシン目４が溶着線部１６の下端近傍に形成されている。そのため、ミシン目４に沿ってリップ１４を切り取ることによって、図４（Ａ）に示すように、使用者は、開口１０ａから袋部１０に指を容易に入れることができる。そのため、指が濡れたり汚れたりしている場合でも、指または台紙９１がリップ１４に干渉することなく、釣り針９３または台紙９１を袋部１０から容易に取り出すことができる。また、指または台紙９１がリップ１４に干渉することなく、釣り針９３が留められた台紙９１を袋部１０に容易に収容することができる。
【００５５】
また、袋１００においては、接着剤層１３（図３参照）を介してヘッダ部５０を袋部１０の表面に接着させることができる。このとき、ミシン目４（図３参照）が溶着線部１６の下端近傍に形成されているため、リップ１４（図２参照）が干渉することなく、ヘッダ部５０を袋部１０の表面に接着させることができる。上記のように、袋１００においては、ヘッダ部５０および溶着線部１６における溶着線部１６の下端よりも上方の部分として、ヘッダ部５０のうちの貫通孔５１と溶着線部１６との間の部分が接着剤層１３に接着される。すなわち、袋１００においては、使用者がヘッダ部５０を掴むためのタブ状の部分が比較的広い面積を有する。そのため、指が濡れたり汚れたりしている場合に再封緘された袋１００を使用者が開封するときでも、ヘッダ部５０を袋部１０から容易に離すことができる。
【００５６】
さらに、接着剤層１３が比較的弱い粘着性しか有していない場合でも、上記のようにシートが二重に重ねられたヘッダ部５０を袋部１０に接着することができることにより、開口部１０ａを確実に閉塞することができる。なお、粘着力が比較的小さいことによれば、商品９０購入後において袋１００を開封する場合には、接着剤層１３からリップ１４を容易に剥がすことができる。
【００５７】
一方、商品９０としての釣り針９３を袋１００とは異なる他の商品包装袋が収容した場合における例について、図５を用いて説明する。図５は、袋１００とは異なる他の商品包装袋（以下、袋１００ｃという）が釣り針９３を収容した状態を概略的に示す袋１００ｃの斜視図であって、開封された袋１００ｃから釣り針９３が取り出される様子を示す図である。
【００５８】
袋１００ｃにおいては、リップ１４ｃの一部を切り取るための構成が欠如等した構成によって、リップ１４ｃの下端を含む多くの部分がヘッダ部５０ｃに接続している。そのため、商品９０購入後において再度、袋１００ｃを封緘する場合には、リップ１４ｃを袋部１０ｃに接着させる必要がある。また、リップ１４ｃの下端を含む一部を切り取ることなく袋部１０ｃにヘッダ部５０ｃを接着させる場合には、リップ１４ｃを折り畳まなければならない。したがって、袋１００ｃを再開封する場合には、リップ１４ｃを袋部１０ｃから剥がさなければならない。釣り針９３を使用する場合の多くには、濡れた手または汚れた手でリップ１４ｃを袋部１０ｃから剥がさなければならないため、ヘッダ部５０を袋部１０から離す本発明に従った袋１００（いずれも図４参照）の構成とは異なり、袋１００ｃにおいては袋部１０ｃからリップ１４ｃを容易に剥がすことができない。
【００５９】
さらに、リップ１４ｃの下端を含む部分の多くが残されていることによって、使用者は、袋部１０ｃの中に指を容易に入れることができない。そのため、指が濡れたり汚れたりしている場合には、釣り針９３または台紙９１を袋部１０ｃから容易に取り出すことができない。このように、袋１００ｃにおいては、指または台紙９１がリップ１４ｃに干渉するため、釣り針９３が留められた台紙９１を袋部１０ｃに容易に収容することができない。また、開封と封緘とが繰り返されることによって、汚れた手がヘッダ部５０ｃおよびリップ１４ｃに干渉するため、リップ１４ｃがさらに汚れるおそれがある。リップ１４ｃが汚れることによれば、袋部１０ｃに対してリップ１４ｃを止めることが困難になる。すなわち、再度、袋１００ｃを封緘することができなくなる。
【００６０】
このように、袋１００においては、リップ１４が干渉することなく、ヘッダ部５０を袋部１０の表面に接着させることができ、且つ、袋部１０からヘッダ部５０を容易に剥がすことができる。さらに、ジップ等の封緘のための構成を袋１００が備えていなくても、例えば袋１００から釣り針９３の最後の１本が無くなるまで等の限られた期間内において、確実に開口部１０ａを閉塞することができる。
【００６１】
以上のように、第１実施形態の袋１００は、袋部１０とヘッダ部５０とを備える。袋部１０は、シートが折り曲げられたうえで、シートの内面同士が互いに溶着されることによって形成される。ヘッダ部５０は、袋部１０の長手方向の中心部に対して袋部１０の底１０ｂと反対側に配置される。ヘッダ部５０は、シートが折り曲げられたうえでシートの内面同士が互いに溶着されることによって形成される。また、袋１００は、折返部１と、折返部２と、開口部１０ａと、溶着線部１６と、接着剤層１３とを含む。
【００６２】
折返部１は、ヘッダ部５０の上端を形成する。折返部２は、袋部１０の底１０ｂを形成する。開口部１０ａは、折返部１と折返部２との間に配置される。溶着線部１６は、ヘッダ部５０の下端を形成するようにヘッダ部５０の上端と開口部１０ａとの間に位置する。溶着線部１６は、シートの内面同士が互いに溶着されることによって形成される。接着剤層１３は、開口部１０ａと袋部１０の底１０ｂとの間に配置され、シートの外面に形成される。ヘッダ部５０には、ヘッダ部５０を貫通する貫通孔５１が形成されている。
【００６３】
袋１００においては、溶着線部１６の開口部１０ａ側の端からヘッダ部５０の上端までの長さＬ1が、開口部１０ａと接着剤層１３との間隔Ｌ2よりも大きい（図１参照）。また、袋１００は、溶着線部１６と開口部１０ａとの間の位置において袋部１０に対してヘッダ部５０を折り曲げることによって、ヘッダ部５０および溶着線部１６における溶着線部１６の下端よりも上方の部分を接着剤層１３に接着することが可能であるように構成されている。
【００６４】
袋１００においては、折返部１としてシートを折り曲げたうえで、シートの内面同士を互いに溶着させることによってヘッダ部５０が形成され、折返部２としてシートを折り曲げたうえで、シートの内面同士を互いに溶着させることによって袋部１０が形成される。さらに、ヘッダ部５０の下端を形成する溶着線部１６が、シートの内面同士が互いに溶着されることによって形成される。このように構成される袋１００において、折返部１と折返部２との間に開口部１０ａが配置されるとともに、シートの外面に形成される接着剤層１３が開口部１０ａと袋部１０の底１０ｂとの間に配置される。袋１００は、このように形成される比較的簡易な構成を有する。
【００６５】
また、袋１００においては、ヘッダ部５０を貫通する貫通孔５１がヘッダ部５０に形成されている。そのため、貫通孔５１を用いることによって、袋１００に収容される商品および袋１００を吊り下げることができる。
【００６６】
さらに、袋１００の構成によれば、溶着線部１６の開口部１０ａ側の端からヘッダ部５０の上端までの長さＬ1が、開口部１０ａと接着剤層１３との間隔Ｌ2よりも大きいため、溶着線部１６と開口部１０ａとの間の位置において袋部１０に対してヘッダ部５０を折り曲げることによって、ヘッダ部５０および溶着線部１６における溶着線部１６の下端よりも上方の部分を接着剤層１３に接着することができる。そのため、ヘッダ部５０および溶着線部１６における溶着線部１６の下端よりも上方の部分によって、開口部１０ａを閉じることができる。これにより、一度開封された袋１００において、ヘッダ部５０を用いて再度封緘することができる。
【００６７】
このようにすることにより、吊り下げ用の孔が形成された比較的簡易な構成を有する商品包装袋であって、一度開封された状態から再度封緘することが可能な袋１００を提供することができる。
【００６８】
袋１００において、ヘッダ部５０は、シートの内面の内側に配置される芯材シート５２を含む。
【００６９】
袋１００においては、ヘッダ部５０と開口部１０ａとの間に溶着線部１６が形成されているため、溶着線部１６の下端に略一致する位置においてヘッダ部５０を折り曲げることができる。したがって、この構成によれば、芯材シート５２を含むヘッダ部５０に、芯材シート５２の折り曲げに基づいた弾性復元力が生じることが無い。そのため、接着剤層１３に接着された部分として、ヘッダ部５０および溶着線部１６の下端よりも上方の部分が袋部１０から剥離することが防止される。すなわち、ヘッダ部５０を袋部１０に確実に接着させることができる。
【００７０】
袋１００においては、シートの一端とシートの内面とによって開口部１０ａの縁が形成される。袋１００には、リップ１４が形成されている。リップ１４は、接着剤層１３を覆うように溶着線部１６の下方に位置する。また、リップ１４は、シートの他端を含む。リップ１４において開口部１０ａと略一致する位置に、リップ４の一部を切り取るための構成が付けられている。
【００７１】
この構成によれば、リップ１４の一部を切り取るための構成が付けられているため、例えば収容された商品９０を袋１００から取り出した後にリップ１４の一部を切り取ることができる。また、リップ１４の一部を切り取るための構成は、リップ１４において開口部１０ａと略一致する位置に付けられている。そのため、リップ１４の残りの部分と開口部１０ａとが干渉することなく、ヘッダ部５０および溶着線部１６における溶着線部１６の下端よりも上方の部分を接着剤層１３に接着することができる。そのため、ヘッダ部５０および溶着線部１６における溶着線部１６の下端よりも上方の部分によって、開口部１０ａを閉じることができる。これにより、一度開封された袋１００において、ヘッダ部５０を用いて再度封緘することができる。
【００７２】
袋１００において、リップ１４には、ミシン目４が形成されている。この構成によれば、ミシン目４においてリップ１４の一部を容易に切り取ることができる。
【００７３】
なお、本発明に従った商品包装袋のリップにおいて開口部と略一致する位置に付けられる構成であって、リップの一部を切り取るための構成は、ミシン目であることに限定されず、ミシン目ではない他の構成として、例えば切り取り線であってもよい。
【００７４】
なお、商品包装袋１００における表フィルム１１と裏フィルム１２とは、二枚の合成樹脂を折返部１において溶着することによって構成されていてもよい。
【００７５】
なお、本発明に従った商品包装袋において、芯材シート５２は必須ではなく、ヘッダ部５０には芯材シート５２が収容されていなくてもよい。
【００７６】
（第２実施形態）
図６に、本発明の商品包装袋の別の一例としての商品包装袋２００を示す。商品包装袋（以下、袋という）２００は、袋部１１０とヘッダ部１５０とを備える。袋部１１０の内部には、例えば景品またはサンプルとしての商品が封入される。図６は、袋２００が使用されていない状態として、袋部１１０に商品が収容されておらず且つ封がなされていない状態を概略的に示す図であって、（Ａ）は袋２００の正面図であって、（Ｂ）は（Ａ）のＢ−Ｂ線の断面図である。
【００７７】
第２実施形態の袋２００が第１実施形態の袋１００と異なる点は、第２実施形態の袋２００は、後述するように、吊り下げ用の孔を利用することによって飲料用ボトル等の市販品に取り付けることができるように構成されている。
【００７８】
第２実施形態の袋２００においては、袋２００の正面側に位置する裏フィルム１２の外面に対して接着される部分が、第１実施形態の袋１００において裏フィルム１２の外面に対して接着される部分よりも、ヘッダ部１５０から下方に離れている。つまり、第２実施形態の袋２００においては、第１実施形態の袋１００（図３（Ａ），（Ｂ）参照）に比べて、ヘッダ部１５０からより下方に離れた部分が袋２００の正面側の裏フィルム１２の外面に接着される。また例えば、第２実施形態の袋２００には、接着剤層を覆うように溶着線部の下方に位置し、且つ、シートの他端を含む部分を切り取るための構成が付けられていない。
【００７９】
袋部１１０は、シートとしての一枚の合成樹脂フィルムが折り曲げられたうえで、シートの内面同士が互いに溶着されることによって形成される。詳細には、一端と他端とを含むシートにおいて一端が他端に近づくようにシートが折り返され、且つ、シートの内面同士が互いに溶着されることによって袋部１０が形成される。
【００８０】
ヘッダ部１５０は、袋部１１０の長手方向の中心部に対して袋部１１０の底１１０ｂと反対側に配置される。また、ヘッダ部１５０は、シートが折り曲げられたうえでシートの内面同士が互いに溶着されることによって形成される。詳細には、シートにおいて他端（他端は、表フィルム１１の一部として、溶着線部１６の下方に位置する）が一端（一端は、開口部１１０ａの縁の一部を形成する）に近づくようにシートが折り返され、且つ、シートの内面同士が互いに溶着されることによってヘッダ部１５０が形成される。
【００８１】
ヘッダ部１５０には、シートの内面の内側に配置される補強部として、芯材シート５２が収容されている。また、ヘッダ部１５０には、ヘッダ部１５０を貫通する貫通孔１５１が形成されている。貫通孔１５１は、ヘッダ部１５０の略中心に配置される。貫通孔１５１は、芯材シート５２とシートとを貫通している。貫通孔１５１は、略円形を有する。貫通孔１５１は、袋２００に収容される商品および袋２００を飲料用ボトル等の市販品に吊り下げる場合に用いられる。貫通孔１５１の大きさは、後述する市販品の形状等に適合している。
【００８２】
折返部１と折返部２との間、つまり、袋２００の上端と下端との間には、開口部１１０ａが配置される。開口部１１０ａの縁は、シートの内面としての裏フィルム１２の内面と、シートの一端とによって形成される。また、折返部１の下方において表フィルム１１の内面と裏フィルム１２の内面とが互いに溶着されることによって、溶着線部１６が形成される。溶着線部１６として表フィルム１１と裏フィルム１２とが溶着されることによって、ヘッダ部１５０の下端が形成される。溶着線部１６の開口部１１０ａ側の端は、溶着線部１６の下端である。溶着線部１６のヘッダ部１５０側の端は、溶着線部１６の上端であって、ヘッダ部１５０の下端である。
【００８３】
図６（Ａ），（Ｂ）に示すように、袋２００において、溶着線部１６の開口部１１０ａ側の端からヘッダ部１５０の上端までの長さＬ3は、開口部１１０ａと接着剤層１３との間隔Ｌ4よりも大きい。なお、溶着線部１６の上下方向の寸法を含むヘッダ部１５０の下端と開口部１１０ａとの間の寸法は、袋２００に収容される商品９０および市販品の形状等によってヘッダ部１５０の寸法とともに適宜調整される。
【００８４】
次に、商品が封入された袋２００の状態について、図７を用いて説明する。図７は、袋２００が商品９０を収容した状態を概略的に示す図であって、（Ａ）は袋２００の正面図であって、（Ｂ）は（Ａ）のＢ−Ｂ線の断面図である。なお、袋２００は、例えば、内部に商品９０が封入されないまま、つまり、図６（Ａ），（Ｂ）に示す状態のまま梱包されて運搬される。あるいは、袋２００は、例えば、市販品に取り付けられる前の状態として、内部に商品９０が収容されたうえで、図７（Ａ），（Ｂ）に示す状態において梱包されて運搬される。
【００８５】
商品９０は、開口部１１０ａを通して袋部１１０に商品９０が挿入されることによって、袋部１１０に収容される。商品９０が収容されたうえで、ヘッダ部１５０および溶着線部１６における溶着線部１６の下端よりも上方の部分が接着剤層１３に接着されるように、袋部１１０に対してヘッダ部１５０を袋２００の表側に折り曲げることによって、開口部１１０ａを閉塞することができる。このようにして、袋部１１０が封止される。なお、商品９０を袋部１１０に収容する場合には、接着剤層１３から剥離テープ９（図６（Ｂ）参照）が剥がされる。
【００８６】
続いて、吊り下げ用の孔としての貫通孔１５１を利用することによって市販品に袋２００を取り付けるための構成について、図７と図８とを用いて説明する。袋２００は、景品またはサンプルが封入される商品包装袋として、貫通孔１５１を利用することによって市販品に取り付けることができるように構成されている。図８は、袋２００を概略的に示す断面図であって、袋２００に景品またはサンプルとしての商品９０が収容されたうえで、市販品としての飲料用ボトル８０に袋２００が取り付けられた状態を示す図である。
【００８７】
袋２００を封止する場合には、溶着線部１６と開口部１１０ａとの間の位置において、袋部１１０に対してヘッダ部１５０を折り曲げることによって、ヘッダ部１５０および溶着線部１６における溶着線部１６の下端よりも上方の部分を接着剤層１３に接着する。
【００８８】
ヘッダ部１５０を袋２００の表側に折り曲げることによって、表フィルム１１の外面を接着剤層１３に接着させることができる。このとき、溶着線部１６と開口部１１０ａとの間のうち、溶着線部１６の下端、または、溶着線部１６の下端近傍においてヘッダ部１５０が折り曲げられるため、溶着線部１６の下端に沿って容易且つ確実にヘッダ部１５０を折り曲げることができる。
【００８９】
袋２００においては、ヘッダ部１５０および溶着線部１６における溶着線部１６の開口部１１０ａ側の端（つまり、溶着線部１６の下端）よりも上方、且つ、溶着線部１６のヘッダ部１５０側の端（つまり、溶着線部１６の上端であってヘッダ部１５０の下端）よりも下方の部分が接着剤層１３に接着される。このように、ヘッダ部１５０および溶着線部１６の下端よりも上方且つ溶着線部１６の上端よりも下方の部分、つまり、溶着線部１６が接着剤層１３に接着されるように、ヘッダ部１５０および溶着線部１６の寸法とともに、開口部１１０ａの上方において溶着線部１６の下端の位置と接着剤層１３の位置とが設定される。
【００９０】
図７（Ｂ）に示すように、袋２００においては、ヘッダ部１５０および溶着線部１６における溶着線部１６の下端よりも上方の部分として、溶着線部１６が接着剤層１３に接着される。このように、袋２００は、溶着線部１６と開口部１１０ａとの間の位置において、袋部１１０に対してヘッダ部１５０を折り曲げることによって、ヘッダ部１５０および溶着線部１６における溶着線部１６の下端よりも上方の部分を接着剤層１３に接着することが可能であるように構成されている。この構成によれば、ヘッダ部１５０の貫通孔１５１を通して、市販品の一例としての飲料用ボトル８０のネック８１に袋２００を取り付けることができる（図８参照）。
【００９１】
以上のように、袋２００においては、溶着線部１６の開口部１１０ａ側の端からヘッダ部１５０の上端までの長さＬ3が、開口部１１０ａと接着剤層１３との間隔Ｌ4よりも大きい（図４参照）。また、袋２００は、溶着線部１６と開口部１１０ａとの間の位置において、袋部１１０に対してヘッダ部１５０を折り曲げることによって、ヘッダ部１５０および溶着線部１６における溶着線部１６の下端よりも上方の部分を接着剤層１３に接着することが可能であるように構成されている。
【００９２】
袋２００の構成によれば、ヘッダ部１５０および溶着線部１６における溶着線部１６の下端よりも上方の部分であって、ヘッダ部１５０のうちの貫通孔１５１よりも下方の部分を接着剤層１３に接着する場合に、折り曲げられたヘッダ部１５０によって開口部１１０ａを覆って封緘するとともに、当該部分よりも上方の部分に位置する吊下げ用の貫通孔１５１を用いることによって、景品またはサンプルが封入される商品包装袋として飲料用ボトル８０に袋２００を取り付けることができる。
【００９３】
このようにすることにより、吊り下げ用の孔が形成された比較的簡易な構成を有する商品包装袋であって、景品またはサンプルが封入される商品包装袋として、吊り下げ用の貫通孔１５１を利用することによって市販品としての飲料用ボトル８０に取り付けることが可能な袋２００を提供することができる。
【００９４】
袋２００において、ヘッダ部１５０は、シートの内面の内側に配置される芯材シート５２を含む。
【００９５】
袋２００においては、ヘッダ部１５０と開口部１１０ａとの間に溶着線部１６が形成されているため、溶着線部１６の下端に略一致する位置においてヘッダ部１５０を折り曲げることができる。したがって、この構成によれば、芯材シート５２を含むヘッダ部１５０に、芯材シート５２の折り曲げに基づいた弾性復元力が生じることが無い。そのため、接着剤層１３に接着された部分として、ヘッダ部１５０および溶着線部１６の下端よりも上方の部分が袋部１１０から剥離することが防止される。すなわち、ヘッダ部１５０および溶着線部１６の下端よりも上方の部分を袋部１１０に確実に接着させることができる。
【００９６】
また、この構成によれば、ヘッダ部１５０が所定の剛性を有するため、景品またはサンプルが封入される商品包装袋として飲料用ボトル８０に袋２００を堅固に取り付けることができる。
【００９７】
袋２００において、ヘッダ部１５０および溶着線部１６の下端よりも上方且つ溶着線部１６の上端よりも下方の部分が接着剤層１３に接着されるように、開口部１１０ａの上方において溶着線部１６の下端の位置と接着剤層１３の位置とが設定される。
【００９８】
この構成によれば、ヘッダ部１５０における貫通孔１５１の全体を市販品への取り付け用に利用することができる。すなわち、景品またはサンプルが封入される商品包装袋として市販品としての飲料用ボトル８０に袋２００を容易に取り付けることができる。さらに、ヘッダ部１５０が所定の剛性を有する場合には、飲料用ボトル８０に袋２００を容易且つ堅固に取り付けることができる。
【００９９】
なお、上記において、第１実施形態の袋１００（図１（Ａ）,（Ｂ）参照）と同様の構成については、同符号を付し、説明を省略した。第２実施形態の袋２００におけるその他の作用効果は、第１実施形態の袋１００における作用効果と同様である。
【０１００】
以上のように、本発明に従った商品包装袋は、溶着線部と開口部との間の位置において袋部に対してヘッダ部を当該商品包装袋の正面側に折り曲げたうえで、表フィルムの外面を袋部の外面に接着することができるように構成されている。本発明に従った商品包装袋においては、シートの内面を袋部の外面に接着させる構成に代えて、シートの外面を袋部の外面に接着させる構成を適用することによって、吊下げ用と再封緘用とのいずれかに商品包装袋を用いることができる。具体的には、本発明に従った商品包装袋においては、溶着線部と開口部との間の位置のうち、当該商品包装袋の正面側に袋部に対してヘッダ部を折り曲げる位置を適宜変更することによって、吊下げ用と再封緘用とのいずれかに商品包装袋を用いることができる。
【０１０１】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１０２】
１：折返部、２：折返部、４：ミシン目、１０，１１０：袋部、１０ａ，１１０ａ：開口部、１３：接着剤層、１４：リップ、１６：溶着線部、５０，１５０：ヘッダ部、５１，１５１，：貫通孔、５２：芯材シート、１００，２００：袋
【図１】
2014240289.tif 000003
【図２】
2014240289.tif 000004
【図３】
2014240289.tif 000005
【図４】
2014240289.tif 000006
【図５】
2014240289.tif 000007
【図６】
2014240289.tif 000008
【図７】
2014240289.tif 000009
【図８】
2014240289.tif 000010